(57)【要約】【課　題】家庭内の電気機器類を外出先から携帯電話等により通信回線を通じて、或いは手動によりリモートコントロールすることができるようにすると共に、侵入者の侵入を検出したときに音響機器や照明器具等を点けて侵入者を威嚇できるようにしたホームコントロールシステムを提供する。【解決手段】外出先から携帯電話等を通じてコントローラ１を呼び出すと、パスワードの問い合わせが行われ、パスワードが正しいと、制御コードと制御内容が音声情報にて伝えられる。利用者が制御コードをプッシュボタンにより入力すると、該制御コードに対応する電気機器がリモートコントロールされる。制御コードは入力手段９、１５によっても入力することができる。防犯センサー８が侵入者の侵入を検出すると、コントローラ１はリモコン１０ａ、１０ｄに制御信号を出力し、各リモコン１０ａ、１０ｄが管理する音響機器、照明器具等を点燈し、侵入者を威嚇する。【選択図】　図１
2004032540.tif 000002
【特許請求の範囲】
【請求項１】
固定電話、携帯電話等の通信端末により通信回線を通じて家庭内に設置したコントローラに通信信号を送り、或いは手動リモコン、テンキー、キーボード、マウス等の入力手段の操作によりコントローラに入力し、これによりコントローラが制御信号を出力して所望の電気機器類をリモートコントロールするホームコントロールシステムであって、コントローラには手動操作される上記入力手段と、家庭内に侵入した侵入者の侵入を検出したとき、検出信号を出力するセンサーが接続されると共に、該コントローラが上記通信回線を通じて通信信号を受信する受信部と、電気機器類をリモートコントロールする制御信号を出力する送信部と、各電気機器の制御内容を格納する記憶部と、制御部とを有し、該制御部は、受信部で受信された通信信号、入力手段からの入力信号或いはセンサーからの検出信号により、各信号に対応する、記憶部に格納される制御内容を読出し、それに基づいて送信部より所望の電気機器をリモートコントロールするための制御信号を出力することを特徴とするホームコントロールシステム。
【請求項２】
上記記憶部が音声情報を格納し、通信端末の固定電話或いは携帯電話から通信信号を受信したとき、電気機器の制御内容を含む音声情報を固定電話或いは携帯電話に送信することを特徴とする請求項１記載のホームコントロールシステム。
【請求項３】
一又は複数の電気機器を制御し、コントローラに有線又は無線で接続されるリモコンを複数、所要箇所に設置し、各リモコンには、手動操作される入力手段が接続されると共に、各電気機器の制御内容を格納する記憶部と、該記憶部から制御内容を読出して所望の電気機器を赤外線信号、超音波信号、光信号又は有線にてリモートコントロールする制御部とを有することを特徴とする請求項１記載のホームコントロールシステム。
【発明の詳細な説明】
【０００１】
【発明が属する技術分野】
本発明は、外出先から固定電話や携帯電話等の通信端末を用いて、或いは屋内でも離れた場所からエアコン、テレビ、ラジオ、ビデオ、ステレオ、照明器具、炊飯器等の電気機器類或いはカーテン等の開閉をリモートコントロールすることができ、また侵入者の侵入を検出してテレビ、ラジオ等の音響機器、照明器具を点け、侵入者を威嚇できるようにするホームコントロールシステムに関する。
【０００２】
【従来技術】
エアコン、テレビ、ビデオ、ステレオ、照明器具等の電気機器類の多くはリモートコントロールユニット（以下、「リモコン」という）によって操作できるようになっているが、こうした操作は通常、電気機器類が設置されている部屋の中で行われ、電気機器類の近くでリモコンを操作する必要があった。
【０００３】
近年ではビデオのように、外出先から電話回線を通じてリモートコントロールすることができる電気機器も実現されている。
一方、家庭に設置されるセキュリティシステムとして、センサーが侵入者の侵入を検出したとき、チャイムが鳴ったり、警告音を発生させるようにしたものが知られる。
【０００４】
【発明が解決しようとする課題】
本発明は、家庭内の電気機器類を外出先から固定電話や携帯電話等の通信端末により通信回線を通じて、或いは手動によりリモートコントロールすることができるようにすると共に、侵入者の侵入を検出したときに音響機器や照明器具等を点けて侵入者を威嚇できるようにしたホームコントロールシステムを提供することを目的とする。
【０００５】
【課題の解決手段】
請求項１に係わる発明は、固定電話、携帯電話等の通信端末により通信回線を通じて家庭内に設置したコントローラに通信信号を送り、或いは手動リモコン、テンキー、キーボード、マウス等の入力手段の操作によりコントローラに入力し、これによりコントローラが制御信号を出力して所望の電気機器類をリモートコントロールするホームコントロールシステムであって、コントローラには手動操作される上記入力手段と、家庭内に侵入した侵入者の侵入を検出したとき、検出信号を出力するセンサーが接続されると共に、該コントローラが上記通信回線を通じて通信信号を受信する受信部と、電気機器類をリモートコントロールする制御信号を出力する送信部と、各電気機器の制御内容を格納する記憶部と、制御部とを有し、該制御部は、受信部で受信された通信信号、入力手段からの入力信号或いはセンサーからの検出信号により、各信号に対応する、記憶部に格納される制御内容を読出し、それに基づいて送信部より所望の電気機器をリモートコントロールするための制御信号を出力することを特徴とする。
【０００６】
本発明において、通信端末、例えば携帯電話から電気機器をリモートコントールするときには、携帯電話からコントローラを呼び出す。コントローラに接続された段階で次にプッシュボタン（以下、「ＰＢ」という）を押し、所望の電気機器、例えばエアコンをＯＮにするための通信信号を送信する。通信信号を受信したコントローラは、制御部が記憶部よりその通信信号に対応した制御内容を読出し、送信部よりエアコンをＯＮにする制御信号を出力する。そしてエアコンをＯＮにする。
【０００７】
なお、記憶部にはパスワードを登録しておき、通信端末からパスワードが送信されて記憶部に登録されたパスワードと合致したときに限り、以後の処理が続行され、パスワードが送信されなかったり、送信されてきても登録されたものと異なるときには以後の処理が行われないようにするのが望ましい。
【０００８】
入力手段の操作によりエアコンをＯＮにするときにも入力手段からコントローラにエアコンをＯＮにするための入力を行う。
センサーが侵入者の侵入を検出したときには、コントローラは、制御部が記憶部よりセンサーから得られた検出信号に対応する制御内容を読み出し、所定の電気機器、例えばテレビ、ラジオ等の音響機器、照明器具等をＯＮにする制御信号を出力する。そしてこれらをＯＮにし、音響、照明器具等の点燈により侵入者を威嚇する。
【０００９】
請求項２に係わる発明は、請求項１に係わる発明において、上記記憶部が音声情報を格納し、通信端末の固定電話或いは携帯電話から通信信号を受信したとき、電気機器の制御内容を含む音声情報を固定電話或いは携帯電話に送信することを特徴とする。
【００１０】
本発明における音声情報は、例えばテレビをＯＮにするときは０１、ＯＦＦにするときは０２、エアコンをＯＮにするときは１１、ＯＦＦにするときは１２、ビデオをＯＮにするときは２１、ＯＦＦにするときは２２、照明器具をＯＮにするときは３１、ＯＦＦにするときは３２のＰＢを押して下さい、という内容よりなるもので、利用者は音声情報からエアコンをＯＮにするときは１１のＰＢを押す。
【００１１】
本発明によると、利用者は音声情報に基づいて固定電話或いは携帯電話等の通信端末からＰＢにより所望の電気機器を制御するための通信信号を送ることができ、予めどのＰＢを押すべきか知っておく必要がない。
【００１２】
請求項３に係わる発明は、請求項１に係わる発明において、一又は複数の電気機器を制御し、コントローラに有線又は無線で接続されるリモコンを複数、所要箇所に設置し、各リモコンには、手動操作される入力手段が接続されると共に、各電気機器の制御内容を格納する記憶部と、該記憶部から制御内容を読出して所望の電気機器を赤外線信号、超音波信号、光信号又は有線にてリモートコントロールする制御部とを有することを特徴とする。
【００１３】
この場合、コントローラの記憶部には制御内容を格納しておく必要がない。
家庭内に設置される電気機器類は、異なった場所、例えば設置される部屋が違ったり、階数が一階であったり、二階であったりすることが多く、一箇所に設置したコントローラでは、全ての電気機器類をリモートコントロールしようとすると、赤外線信号や光信号の届かない電気機器類が生じたり、有線で接続する場合、配線が長くなり、複雑化したりする。
【００１４】
本発明によると、コントローラに有線又は無線で接続されるリモコンを必要箇所に設置すれば、リモコンから赤外線信号や光信号で一又は複数の電気機器をリモートコントロールすることができ、また電気機器を有線で接続する場合も、コントローラから配線するよりも配線を短く、かつ簡単にすることができる。
【００１５】
【発明の実施の形態】
図１はコントローラシステムの全体構成を示すもので、コントローラ１は、固定電話や携帯電話等の通信端末２と通信回線３で接続され、通信端末２からの通信信号を受信する受信部４と、パスワード、図２に示されるような音声情報、リモコンにコードを付した図３に示されるようなテーブル等を格納する記憶部５、通信端末２及び後述のリモコンに通信信号を送信する送信部６及びこれらを制御する制御部７を有し、侵入者の侵入を検出する防犯センサー８が接続されると共に、手動リモコン、テンキー、キーボード、マウス等よりなる入力手段９から制御コードが手入力されるようになっている。
【００１６】
コントローラ１から有線、好ましくは配線のいらない無線により制御信号が送信されるリモコン１０ａ、・・１０ｎは、１又は複数の電気機器を赤外線信号や光信号により制御することができる箇所にそれぞれ設置され、各リモコン１０ａ、・・１０ｎはそれぞれ、図４に示されるように、制御信号を受信する受信部１１と、制御する電気機器の制御内容の制御コードを付した、例えば図５に例示されるようなテーブルを格納する記憶部１２と、電気機器に制御信号を赤外線信号、光信号又は有線にて送信する送信部１３と、これらの制御部１４を有し、上記入力手段８と同様、制御コードを手入力することができる入力手段１５が接続されている。
【００１７】
本コントロールシステムは以上のように構成され、外出先から通信端末２を用いて電気機器、例えばエアコンをＯＮにしようと思うときには、図６のフローチャートに示されるように、先ず通信端末２より通信回線３を通じてコントローラ１を呼び出す（Ｓ１）。コントローラ１に接続させると、コントローラ１は音声により利用者の通信端末２に対し、登録された図２に示す音声情報のうち、先ず“パスワードをＰＢで入力して下さい”とのメッセージを送信する。利用者が通信端末２のＰＢ操作によりパスワードを入力すると（Ｓ２）、コントローラ１は予め登録されているパスワードと照合し（Ｓ３）、一致した場合には、続いて“制御コードを入力下さい”。制御コードは、例えばテレビを点ける場合は１０１、消す場合は１０２、エアコンを点ける場合は２１１、停止する場合は２１２、・・等のような図３に示されるテーブルに示される音声情報を送信する（Ｓ４）。利用者が制御コード、例えば２１１をＰＢ操作により入力すると（Ｓ５）、コントローラ１は、２のコードを付したリモコン９ｂに制御コード１１の制御内容を実行するように制御信号を送信する。そしてこれによりリモコン９ｂは制御コード１１の制御内容であるエアコンをＯＮにする制御信号をエアコンに赤外線信号にて送信し、エアコンをＯＮにする。
【００１８】
一方、照合したパスワードが一致しないときには、その回数が三回以内の場合（Ｓ６）、“パスワードが異なっています。もう一度ご入力下さい”とのメッセージを音声にて利用者の通信端末２に送信するが、上記回数が三回に達すると（Ｓ６）、以後の処理が中止され、終了する。
【００１９】
以上の処理は、コントローラ１に対し、入力手段８からの手入力により、或いはまたリモコン１０ａ、・・１０ｎに対する入力手段１５からの手入力により行うこともできる。例えば入力手段８により、コード２１１を手入力すると、コントローラ１はリモコン１０ｂに対し、上記と同様の制御信号を送信し、エアコンをＯＮにする。また入力手段１５に制御コード１１を入力すると、エアコンがＯＮにされる。
【００２０】
侵入者の侵入を検出して防犯センサー８が検出信号を出力すると、コントローラ１は、予め決めておいた、図１に示されるリモコン１０ａ及び１０ｄに出力し、リモコン１０ａ及び１０ｄが管理するテレビ、ラジオ等の音響機器、ビデオ及び照明器具を一斉に点燈し、侵入者を威嚇する。
【００２１】
【発明の効果】
請求項１記載の発明によると、外出先から固定電話や携帯電話等の通信端末を用いたり、入力手段を用いて手入力により家庭内の電気機器類をリモートコントロールすることができると共に、侵入者の侵入を検出したとき、所要の電気機器、例えばテレビ、ラジオ等の音響機器、証明器具等を点燈して侵入者を威嚇することができる。
【００２２】
請求項２記載の発明によると、利用者は操作の手順を知らなかったり、忘れていても音声情報に基づいて所要の操作を行うことができる。
請求項３記載の発明によると、リモコンを必要箇所に設置しておくことにより、コントローラから赤外線信号や光信号の届かない箇所に設置されている電気機器を赤外線信号や光信号でリモートコントロールすることができ、また有線による配線を行う場合でも、配線の長さを短くし、その構成を簡素にすることができる。
【図面の簡単な説明】
【図１】本発明に係わるホームコントロールシステムの全体構成を示すブロック図。
【図２】音声情報の内容を例示する図。
【図３】リモコンとコードとの関係を示すテーブル。
【図４】リモコンのブロック図。
【図５】制御コードと制御内容の関係を示すテーブル。
【図６】フローチャート
【符号の説明】
１・・コントローラ
２・・通信端末
３・・通信回線
４、１１・・受信部
５、１２・・記憶部
６、１３・・送信部
７、１４・・制御部
８・・防犯センサー
９、１５・・入力手段
１０ａ、・・・１０ｎ・・リモコン
【図１】
2004032540.tif 000003
【図２】
2004032540.tif 000004
【図３】
2004032540.tif 000005
【図４】
2004032540.tif 000006
【図５】
2004032540.tif 000007
【図６】
2004032540.tif 000008